(57)【要約】【課題】決済機能を有する金融機関の個人情報を利用して、献金者の本人確認に資する情報を被献金者に提供することを課題とする。【解決手段】資金提供者端末１０２から個人の政治献金の申込を受け付けると、資金移転管理サーバ１０１は、献金者情報を本人属性データとして付加した決済依頼を決済処理サーバ１０３へ送る。決済処理サーバ１０３は、クレジットカード所有者の属性データに照らして本人確認を行った上で、決済依頼を受け付ける。本人確認ができた場合には、手続完了３０３を資金提供者端末１０２に返信し、所定時期に献金予定明細を資金受領者端末３０４に送信する。資金受領者端末３０４は、献金の辞退を申し出ることもできる。【選択図】図３
2011215762.tif 000002
【特許請求の範囲】
【請求項１】
資金提供者の端末、資金受領者の端末、及び決済処理サーバとそれぞれ接続可能な資金移転管理サーバであって、以下の要素を有することを特徴とする資金移転管理サーバ
（１）前記資金提供者の端末から、前記資金受領者に提供する資金額と、該資金提供者が入力した資金提供者情報とを受け付ける提供資金額・資金提供者情報受付部
（２）前記決済処理サーバに前記提供資金額と前記資金提供者情報の少なくとも一部とを含む決済依頼を送信し、該決済処理サーバから依頼結果を受信する決済要求部
（３）依頼結果が資金提供者の本人確認済である場合に、前記提供資金額と前記資金提供者情報とを含む資金提供予定明細を前記資金受領者の端末に送信する予定明細通知部。
【請求項２】
前記予定明細通知部は、依頼結果が資金提供者の本人不確認である場合に、前記資金提供予定明細を、前記資金受領者の端末に送信しない
ことを特徴とする請求項１記載の資金移転管理サーバ。
【請求項３】
決済による入金があった資金提供について、前記提供資金額と前記資金提供者情報とを含む資金提供明細を前記資金受領者の端末に送信する明細通知部をさらに有する
ことを特徴とする請求項１又は２に記載の資金移転管理サーバ。
【請求項４】
前記資金受領者の端末から、所定の期間内に資金受入の辞退通知を受け付ける辞退受付部と、
前記受け付けた辞退通知に係る資金提供を取り消す資金提供取消部とをさらに有する
ことを特徴とする請求項１乃至３のいずれかに記載の資金移転管理サーバ。
【請求項５】
前記決済処理サーバは、クレジットカードによる決済処理を行ない、
前記資金移転管理サーバは、前記資金提供者の端末からクレジットカード情報を受け付けるクレジットカード情報受付部をさらに有し、
前記決済要求部は、前記決済依頼に、前記受け付けたクレジットカード情報を含める
ことを特徴とする請求項１乃至４のいずれか記載の資金移転管理サーバ。
【請求項６】
前記決済処理サーバは、クレジットカードによる決済処理を行ない、
前記資金移転管理サーバは、
ユーザ毎のクレジットカード情報を記憶しているユーザテーブルと、
前記資金提供者の端末からログイン情報を受け付けて該資金提供者を認証するログイン受付部と、
前記認証したユーザのクレジットカード情報を特定するクレジットカード情報特定部とを有し、
前記決済要求部は、前記決済依頼に、前記特定したクレジットカード情報を含める
ことを特徴とする請求項１乃至４のいずれか記載の資金移転管理サーバ。
【請求項７】
前記決済処理サーバは、預貯金口座による決済処理を行ない、
前記資金移転管理サーバは、前記資金提供者の端末から預貯金口座情報を受け付ける口座情報受付部を有し、
前記決済要求部は、前記決済依頼に、前記受け付けた預貯金口座情報を含める
ことを特徴とする請求項１乃至４のいずれか記載の資金移転管理サーバ。
【請求項８】
前記決済処理サーバは、預貯金口座による決済処理を行ない、
前記資金移転管理サーバは、
ユーザ毎の預貯金口座情報を記憶しているユーザテーブルと、
前記資金提供者の端末からログイン情報を受け付けて該資金提供者を認証するログイン受付部と、
前記認証したユーザの預貯金口座情報を特定する口座情報特定部とを有し、
前記決済要求部は、前記決済依頼に、前記特定した預貯金口座情報を含める
ことを特徴とする請求項１乃至４のいずれか記載の資金移転管理サーバ。
【請求項９】
資金提供者の端末、資金受領者の端末、及び決済処理サーバとそれぞれ接続可能な資金移転管理サーバによる資金移転管理方法であって、以下の要素を有することを特徴とする資金移転管理方法
（１）前記資金提供者の端末から、前記資金受領者に提供する資金額と、該資金提供者が入力した資金提供者情報とを受け付ける提供資金額・資金提供者情報受付工程
（２）前記決済処理サーバに前記提供資金額と前記資金提供者情報の少なくとも一部とを含む決済依頼を送信し、該決済処理サーバから依頼結果を受信する決済要求工程
（３）依頼結果が資金提供者の本人確認済である場合に、前記提供資金額と前記資金提供者情報とを含む資金提供予定明細を前記資金受領者の端末に送信する予定明細通知工程。
【請求項１０】
資金提供者の端末、資金受領者の端末、及び決済処理サーバとそれぞれ接続可能なコンピュータに、以下の手順を実行させるためのプログラム
（１）前記資金提供者の端末から、前記資金受領者に提供する資金額と、該資金提供者が入力した資金提供者情報とを受け付ける提供資金額・資金提供者情報受付手順
（２）前記決済処理サーバに前記提供資金額と前記資金提供者情報の少なくとも一部とを含む決済依頼を送信し、該決済処理サーバから依頼結果を受信する決済要求手順
（３）依頼結果が資金提供者の本人確認済である場合に、前記提供資金額と前記資金提供者情報とを含む資金提供予定明細を前記資金受領者の端末に送信する予定明細通知手順。
【発明の詳細な説明】
【技術分野】
【０００１】
本発明は、決済機能を有する金融機関の個人情報を利用して、資金提供者の本人確認に資する情報を資金受領者に提供する資金提供代行システムに関するものである。
【背景技術】
【０００２】
特許文献１（「自動献金・募金処理方法及びシステム」）には、「携帯端末を利用した献金・募金の受け付けサービスを提供することにより、献金・募金の新しい決済手段を備えた自動献金・募金処理方法及びシステムを提供する」ことを課題として、献金の受付を行うシステムが開示されている。
【０００３】
特許文献２においても「献金管理システム及び献金管理方法」には、「献金がしやすく、献金に伴う税金の処理も簡便とすることができ、しかも献金の適正化を維持しつつその献金の透明性を高度に高め維持可能とする」ことを課題として、献金システムが開示されている。
【０００４】
いずれにおいてもクレジットカードを決済手段としているが、その認証においては通常のオーソリ処理のみが行なわれると思われる。つまり、カードの有効性と決済金額のチェックのみであると想定される。その為、他人名義による献金や、なりすましによる献金が行われる恐れがある。
【０００５】
また、献金を受ける側で予め献金者をチェックすることができないため、不正な献金を未然に防ぐことができないという問題もある。
【先行技術文献】
【特許文献】
【０００６】
【特許文献１】特開２００２−２５９８８０号公報
【特許文献２】特開２００４−２２７３４５号公報
【発明の概要】
【発明が解決しようとする課題】
【０００７】
金融機関が保有する個人情報を利用して、資金提供者の本人確認に資する情報を資金受領者に提供することを課題とする。
【課題を解決するための手段】
【０００８】
本願発明に係る資金移転管理サーバは、資金提供者の端末、資金受領者の端末、及び決済処理サーバとそれぞれ接続可能な資金移転管理サーバであって、以下の要素を有することを特徴とする資金移転管理サーバ
（１）前記資金提供者の端末から、前記資金受領者に提供する資金額と、該資金提供者が入力した資金提供者情報とを受け付ける提供資金額・資金提供者情報受付部
（２）前記決済処理サーバに前記提供資金額と前記資金提供者情報の少なくとも一部とを含む決済依頼を送信し、該決済処理サーバから依頼結果を受信する決済要求部
（３）依頼結果が資金提供者の本人確認済である場合に、前記提供資金額と前記資金提供者情報とを含む資金提供予定明細を前記資金受領者の端末に送信する予定明細通知部。
【０００９】
また、前記予定明細通知部は、依頼結果が資金提供者の本人不確認である場合に、前記資金提供予定明細を、前記資金受領者の端末に送信しないことを特徴とする。
【００１０】
また、決済による入金があった資金提供について、前記提供資金額と前記資金提供者情報とを含む資金提供明細を前記資金受領者の端末に送信する明細通知部をさらに有することを特徴とする。
【００１１】
また、前記資金受領者の端末から、所定の期間内に資金受入の辞退通知を受け付ける辞退受付部と、前記受け付けた辞退通知に係る資金提供を取り消す資金提供取消部とをさらに有することを特徴とする。
【００１２】
また、前記決済処理サーバは、クレジットカードによる決済処理を行ない、前記資金移転管理サーバは、前記資金提供者の端末からクレジットカード情報を受け付けるクレジットカード情報受付部をさらに有し、前記決済要求部は、前記決済依頼に、前記受け付けたクレジットカード情報を含めることを特徴とする。
【００１３】
また、前記決済処理サーバは、クレジットカードによる決済処理を行ない、前記資金移転管理サーバは、ユーザ毎のクレジットカード情報を記憶しているユーザテーブルと、前記資金提供者の端末からログイン情報を受け付けて該資金提供者を認証するログイン受付部と、前記認証したユーザのクレジットカード情報を特定するクレジットカード情報特定部とを有し、前記決済要求部は、前記決済依頼に、前記特定したクレジットカード情報を含めることを特徴とする。
【００１４】
また、前記決済処理サーバは、預貯金口座による決済処理を行ない、前記資金移転管理サーバは、前記資金提供者の端末から預貯金口座情報を受け付ける口座情報受付部を有し、前記決済要求部は、前記決済依頼に、前記受け付けた預貯金口座情報を含めることを特徴とする。
【００１５】
また、前記決済処理サーバは、預貯金口座による決済処理を行ない、前記資金移転管理サーバは、ユーザ毎の預貯金口座情報を記憶しているユーザテーブルと、前記資金提供者の端末からログイン情報を受け付けて該資金提供者を認証するログイン受付部と、前記認証したユーザの預貯金口座情報を特定する口座情報特定部とを有し、前記決済要求部は、前記決済依頼に、前記特定した預貯金口座情報を含めることを特徴とする。
【００１６】
本願発明に係る資金移転管理方法は、資金提供者の端末、資金受領者の端末、及び決済処理サーバとそれぞれ接続可能な資金移転管理サーバによる資金移転管理方法であって、以下の要素を有することを特徴とする
（１）前記資金提供者の端末から、前記資金受領者に提供する資金額と、該資金提供者が入力した資金提供者情報とを受け付ける提供資金額・資金提供者情報受付工程
（２）前記決済処理サーバに前記提供資金額と前記資金提供者情報の少なくとも一部とを含む決済依頼を送信し、該決済処理サーバから依頼結果を受信する決済要求工程
（３）依頼結果が資金提供者の本人確認済である場合に、前記提供資金額と前記資金提供者情報とを含む資金提供予定明細を前記資金受領者の端末に送信する予定明細通知工程。
【００１７】
本願発明に係るプログラムは、資金提供者の端末、資金受領者の端末、及び決済処理サーバとそれぞれ接続可能なコンピュータに、以下の手順を実行させることを特徴とする
（１）前記資金提供者の端末から、前記資金受領者に提供する資金額と、該資金提供者が入力した資金提供者情報とを受け付ける提供資金額・資金提供者情報受付手順
（２）前記決済処理サーバに前記提供資金額と前記資金提供者情報の少なくとも一部とを含む決済依頼を送信し、該決済処理サーバから依頼結果を受信する決済要求手順
（３）依頼結果が資金提供者の本人確認済である場合に、前記提供資金額と前記資金提供者情報とを含む資金提供予定明細を前記資金受領者の端末に送信する予定明細通知手順。
【発明の効果】
【００１８】
資金額と、資金提供者が入力した資金提供者情報とを含む決済依頼を決済処理サーバに送信し、依頼結果が資金提供者の本人確認済である場合に、資金提供予定明細を資金受領者の端末に送信するので、資金提供者の本人確認に資する情報を資金受領者に提供することができる。資金提供者が入力した資金提供者情報を、決済機関が保有するユーザの属性情報と照合して本人確認を行う機能を活用している。
【００１９】
特に個人による政治献金においては、資金管理団体側で献金者の本人確認を行う義務を負うので、その事務負担の軽減に役立つと期待される。また、献金代行システムを偽装献金に悪用されることを防ぐこともできる。
【００２０】
決済による入金が有った資金提供について、提供資金額と資金提供者情報を含む資金提供明細を資金受領者の端末に送信するので、行き違いにより資金提供者が不明になる事態を予防できる。
【００２１】
所定の期間内に受け付けた資金受入の辞退により資金提供を取り消すので、適正でない資金提供を資金受領者側で意図的に排除することができる。
【００２２】
クレジットカードや預貯金口座を用いて決済するので、手続きの利便性が向上するとともに、本人確認が容易かつ厳格になると期待される。
【図面の簡単な説明】
【００２３】
【図１】図１は、献金代行システムのネットワーク構成を示す図である。
【図２】図２は、献金申込のデータフローを示す図である。
【図３】図３は、決済依頼成功時のデータフローを示す図である。
【図４】図４は、決済依頼失敗時のデータフローを示す図である。
【図５】図５は、献金辞退時のデータフローを示す図である。
【図６】図６は、献金手続処理フローを示す図である。
【図７】図７は、資金移転管理サーバの献金申込に係る構成（１／２）を示す図である。
【図８】図８は、資金移転管理サーバの献金申込に係る構成（２／２）を示す図である。
【図９】図９は、資金移転管理サーバの決済依頼に係る構成を示す図である。
【図１０】図１０は、献金申込情報の例を示す図である。
【図１１】図１１は、献金予定明細通知処理フローを示す図である。
【図１２】図１２は、資金移転管理サーバの献金予定明細通知に係る構成を示す図である。
【図１３】図１３は、資金移転管理サーバの献金辞退に係る構成を示す図である。
【図１４】図１４は、献金明細通知処理フローを示す図である。
【図１５】図１５は、実施の形態２に係る献金申込のデータフローを示す図である。
【図１６】図１６は、資金移転管理サーバのログインに係る構成を示す図である。
【発明を実施するための形態】
【００２４】
＜実施の形態１＞
［１．ネットワーク構成］
図１は、献金代行システムのネットワーク構成を示す図である。資金移転管理サーバ１０１は、資金提供者端末１０２及び資金受領者端末１０４と、インターネットを介してそれぞれ接続している。また、資金移転管理サーバ１０１は、専用線を介して決済処理サーバ１０３と接続している。なお、専用線以外にも、十分なセキュリティ対策を施してインターネットを介して決済処理サーバ１０３と接続する方法も考えられる。
【００２５】
［１−１．資金提供者端末］
資金提供者端末１０２は、資金を提供する者の端末（例えば、パーソナルコンピュータ等の既存の情報処理装置）である。特に、資金管理団体や政治家の後援会などに対して政治献金しようとする個人の献金者が使用する端末である。政治献金は資金提供の例であるので資金提供者端末と呼ぶが、献金者端末あるいは寄附者端末と解することもできる。この例では、個人による献金を想定しているが、企業あるいは団体による献金の場合には、企業あるいは団体が献金者（寄附者）となる。また、この例では政治活動に対する寄附、つまり政治献金を想定しているが、政治活動以外の目的（例えば、慈善事業や公共事業）に対する寄附に適用することも考えられる。資金提供者端末１０２は、ＨＴＭＬ（Ｗｅｂページを記述するためのマークアップ言語の例）記述文書や画像データ等を表示し、ＨＴＭＬ記述文書による画面への操作に応じて所定ＵＲＬにアクセスするブラウザや、電子メールを送受信するメーラーを備えている。
【００２６】
［１−２．資金受領者端末］
資金受領者端末１０４は、資金提供を受ける者の端末である（例えば、パーソナルコンピュータ等の既存の情報処理装置）。特に、個人の政治献金を受け取る政治家の資金管理団体や政治家の後援会などが使用する端末である。政治献金は資金提供の例であるので資金受領者端末と呼ぶが、被献金者端末、政治団体端末、資金管理団体端末、後援会端末と解することもできる。政治活動以外の目的（例えば、慈善事業や公共事業）に対する寄附に適用する場合には、被寄附者端末（慈善事業者端末や公共事業者端末）であることも考えられる。団体や企業による政治献金の場合には、政党あるいは政治資金団体が被献金者となる。資金受領者端末１０４も、ブラウザやメーラーを備えている。
【００２７】
［１−３．資金移転管理サーバ］
資金移転管理サーバ１０１は、献金者から資金管理団体への献金を代行する献金代行業者が運営するサーバである。この例では資金移転管理サーバと呼ぶが、政治献金代行サーバと解することもできる。政治活動以外の目的（例えば、慈善事業や公共事業）に対する寄附に適用する場合には、寄附代行業者が運営する寄附代行サーバとなる。
【００２８】
［１−４．決済処理サーバ］
資金移転管理サーバ１０１は、献金者が契約している決済業者のサービスを利用する。決済処理サーバ１０３は、決済業者が運用するサーバである。決済業者として、この例ではクレジットカード会社を想定している。決済処理サーバ１０３は、献金者に付与しているクレジットカードの情報に基づいて、献金代行業者からの決済依頼を受け付けて決済処理するように構成されている。
【００２９】
［２．献金代行の概要］
［２−１．献金申込の受付］
続いて、本願発明による献金代行の概要について説明する。図２は、献金申込のデータフローを示す図である。資金移転管理サーバ１０１は、資金提供者端末１０２からの要求に応じて、登録されている政治家を紹介する個別政治家画面２０１を資金提供者端末１０２に送信する。資金移転管理サーバ１０１は、地図や選挙区から探す方法や名前の五十音から探す方法などにより、政治家を検索できるように構成されている。
【００３０】
個別政治家画面２０１には、現職の国会議員・地方議員・首長や国会議員・地方議員・首長を目指して政治活動を行っている政治家のプロフィール情報を記述するページである。基本情報として、生年月日、所属議院（衆議院／参議院）・議会・首長または立候補予定議院・議会・首長、関連する選挙区、現職／元職／新人の別、当選回数、所属政党等を表示する。また、略歴、政策なども表示する。動画を利用する場合には動画サイトにリンクすることも有効である。また、個別政治家画面２０１は、当該政治家への献金手続の開始を指示する手段（例えば、「献金ボタン」などのボタンアイコン）を有しており、ブラウザ上の操作により、献金手続開始２０２の指示を資金移転管理サーバ１０１に返信させるように構成されている。
【００３１】
資金提供者端末１０２のブラウザに表示された画面上で、当該政治家へ個人献金しようとする献金者が当該手段を操作することにより、献金手続開始２０２が資金移転管理サーバ１０１に返信される。
【００３２】
資金移転管理サーバ１０１は、献金手続開始２０２を受信すると、規約等確認画面２０３を資金提供者端末１０２に送信する。規約等確認画面２０３は、規約等を表示し、献金者に確認を促す画面である。具体的には、当該献金代行サービスの利用規約、個人情報の取扱に関する合意事項、その他献金に関する諸注意事項を表示し、確認した旨を返信するように構成されている。
【００３３】
資金提供者端末１０２のブラウザに表示された画面上で、献金者が規約等を確認した旨を指示する手段を操作することにより、規約等確認２０４が資金移転管理サーバ１０１に返信される。
【００３４】
資金移転管理サーバ１０１は、規約等確認２０４を受信すると、決済方法選択画面２０５を資金提供者端末１０２に送信する。決済方法選択画面２０５は、決済方法の選択肢を提示して、当該献金の支払に用いる方法を選択させる画面である。この例では、クレジットカードの種別を選択させるように構成されている。
【００３５】
資金提供者端末１０２のブラウザに表示された画面上で、献金者が用いる決済方法（クレジットカード）を選択する手段を操作することにより、カード種別選択２０６が資金移転管理サーバ１０１に返信される。
【００３６】
資金移転管理サーバ１０１は、カード種別選択２０６を受信すると、献金額・献金者情報入力画面２０７を資金提供者端末１０２に送信する。献金額・献金者情報入力画面２０７は、献金額と献金者情報の入力を促し、入力された献金額・献金者情報を返信させる画面である。献金額として、個人献金の限度額内（現行では、個別の政治家に対して年間で１５０万円）で寄附する金額を受け付ける。献金者情報は、献金に伴い資金移転管理サーバ１０１に通知される他、決済処理サーバ１０３における本人確認にも用いられる。
【００３７】
資金提供者端末１０２のブラウザに表示された画面上で、献金額と献金者情報が入力され、当該情報の送信を指示する手段を操作することにより、献金額・献金者情報２０８が資金移転管理サーバ１０１に返信される。
【００３８】
資金移転管理サーバ１０１は、献金額・献金者情報２０８を受信すると、献金内容確認画面２０９を資金提供者端末１０２に送信する。献金内容確認画面２０９は、受け付けた献金内容の確認を促す画面である。献金内容を表示し、確認した旨を返信するように構成されている。
【００３９】
資金提供者端末１０２のブラウザに表示された画面上で、献金内容を確認した旨を指示する手段を操作することにより、献金内容確認２１０が資金移転管理サーバ１０１に返信される。
【００４０】
資金移転管理サーバ１０１は、献金内容確認２１０を受信すると、クレジットカード情報入力画面２１１を資金提供者端末１０２に送信する。クレジットカード情報入力画面２１１は、カード種別選択２０６で特定したクレジットカードの情報の入力を促し、入力されたクレジットカード情報を送信する画面である。
【００４１】
資金提供者端末１０２のブラウザに表示された画面上で、クレジットカード情報の送信を指示する手段を操作することにより、クレジットカード情報２１２が資金移転管理サーバ１０１に返信される。
【００４２】
資金移転管理サーバ１０１は、クレジットカード情報２１２を受信すると、決済内容確認画面２１３を資金提供者端末１０２に送信する。決済内容確認画面２１３は、カード種別やクレジットカード情報などの決済内容の確認を促す画面である。決済内容を表示し、確認した旨を返信するように構成されている。
【００４３】
資金提供者端末１０２のブラウザに表示された画面上で、決済内容を確認した旨を指示する手段を操作することにより、決済内容確認２１４が資金移転管理サーバ１０１に返信される。以上のデータフローにより、献金申込に係る情報の受け付けが完了する。
【００４４】
［２−２．決済の依頼等］
［２−２（ａ）決済依頼が成功した場合］
続けて、その後の決済依頼等の処理概要を説明する。図３は、決済依頼成功時のデータフローを示す図である。図２の動作に続いて、資金移転管理サーバ１０１は、決済処理サーバ１０３に決済依頼３０１を送信し、献金者による献金（寄附金）の預かりに関する決済を要求する。このとき、カード種別に対応する決済処理サーバ１０３が選択される。決済依頼３０１には、決済額、クレジットカード情報、本人属性データの各データが含まれている。本人属性データは、クレジットカードの所有者自身であることを確認するために用いられる、カード利用者自身に関する情報である。本発明では、献金者情報を本人属性データとして用いる。決済額には、献金額が当てられる。
【００４５】
決済処理サーバ１０３は、通常のオーソリ処理と本人確認を行い、クレジット支払請求を受け付ける。通常のオーソリ処理では、クレジットカード情報に基づいて、利用カードの有効性を確認し、利用カードが有効な場合に、決済額分の与信枠の空きがあるかを確認する。空きが有る場合に、本人属性データが、決済処理サーバ１０３で管理するクレジットカードの名義人情報と一致するか判定することにより、本人確認を行い、本人であると確認された場合に、決済額相当分を確保して、クレジット売上として受け付ける。そして、受付成功３０２を資金移転管理サーバ１０１に返信する。つまり、受付成功３０２は、本人確認済であることを示している。明示的に本人確認済の判定コードを含めて返信することも有効である。
【００４６】
資金移転管理サーバ１０１は、受付成功３０２を受信すると、献金申込の手続が完了した旨を示す手続完了３０３の通知を資金提供者端末１０２に送信する。
【００４７】
また、資金移転管理サーバ１０１は、月次処理など所定のタイミング（献金予定通知時点）に、所定期間（献金予定集計期間）内に受け付けた献金申込に係る献金予定明細３０４を資金受領者端末１０４にまとめて送信する。献金予定明細３０４には、資金受領者端末１０４に対応する政治家への献金申込毎の献金予定額と献金予定者情報が含まれている。更に、決済処理サーバ１０３による本人確認がなされた旨を付することが有効である。
【００４８】
クレジット会社は、通常処理としてカード利用者である献金者に対して請求を行う。献金者は、通常の方法に従ってクレジット会社に対して支払を行う。そして、クレジット会社は、決済依頼の内容に従って献金代行業者へ献金相当の支払を行う。これが、献金代行業者における預かり金となる。
【００４９】
資金移転管理サーバ１０１は、月次処理など所定のタイミング（献金通知時点）に、所定期間（入金集計期間）内にクレジット会社からの入金を確認した献金額（預かり金）を、献金者に代わって資金管理団体に支払う。また、献金明細３０５を資金受領者端末１０４に送信する。献金明細３０５には、資金受領者端末１０４に対応する政治家への献金申込毎に支払った献金額と献金者情報が含まれている。
【００５０】
資金管理団体は、通常の献金手続きと同様に献金者に対して領収書の発行を行う。上述のように、順次献金者からクレジットカード会社に支払い、クレジットカード会社から献金代行業者へ支払い、献金代行業者から資金管理団体へ支払うことにより、献金者不明となる事態を防止することができる。
【００５１】
［２−２（ｂ）決済依頼が失敗した場合］
上述の流れに反して、決済依頼が受け付けられない場合についても説明する。図４は、決済依頼失敗時のデータフローを示す図である。決済依頼３０１を受け付けた決済処理サーバ１０３で、決済処理を拒否する場合には、受付失敗４０１の通知を資金移転管理サーバ１０１に返信する。通常のオーソリ処理で利用カードが無効と判断された場合、決済額分の与信枠の空きが無いと判断された場合、あるいは本人確認で本人属性データがクレジットカードの名義人情報と一致しなかった場合に、クレジット売上を行なわずに、受付失敗とする。受付失敗４０１には、それぞれの失敗事由（利用カード無効、与信不足、本人不確認）が含まれる。
【００５２】
資金移転管理サーバ１０１は、決済処理サーバ１０３から受付失敗４０１を受信した場合には、献金申込手続きが完了しなかった旨の手続未完４０２の通知を資金提供者端末１０２に返信する。手続未完４０２には、受付失敗４０１に付された失敗事由（利用カード無効、与信不足、本人不確認）を含める。この場合には、資金移転管理サーバ１０１は献金に係る以降の処理を行なわない。
【００５３】
［２−３．受入辞退の受付］
決済処理サーバ１０３による決済依頼の受け付けが成功した場合でも、資金管理団体側が当該献金者による献金を断る場合もある。図５は、献金辞退時のデータフローを示す図である。
【００５４】
特に資金管理団体側で、献金予定が政治資金規正法に抵触すると判断した場合には、献金の受入を辞退することが必要になる。資金管理団体は受信した献金予定明細３０４に基づいて、各献金予定の受入を検討し、献金を受け入れないと判断した場合には、当該献金予定に対する辞退を示す献金辞退５０１の通知を資金移転管理サーバ１０１に通知する。献金辞退５０１は、献金予定明細３０４の受領から所定の辞退申請期間内に行う。辞退申請期間は、少なくとも献金予定により生じた決済に関するクレジット会社から献金者への請求処理が開始される前にその終期を迎えるように設定されることが望ましい。
【００５５】
資金移転管理サーバ１０１は、献金辞退５０１を受け付けると、当該献金申込を行った献金者の資金提供者端末１０２に献金申込手続の取消を意味する手続取消５０２の通知を送信する。更に、献金予定により生じた決済依頼の取消を決済取消５０３に要求する。
【００５６】
［３．献金代行の詳細］
［３−１．献金申込の受付］
概要の説明に続いて、資金移転管理サーバ１０１による処理の詳細について説明する。図６は、献金手続処理フローを示す図である。図７は、資金移転管理サーバの献金申込に係る構成（１／２）を示す図である。資金移転管理サーバ１０１は、被献金政治家受付部７０１、個別政治家画面記憶部７０２、規約等確認受付部７０３、規約等確認画面記憶部７０４、決済方法受付部７０５、決済方法選択画面記憶部７０６、献金額・献金者情報受付部７０７、献金額・献金者情報入力画面記憶部７０８、献金内容確認画面生成部７０９、政治家テーブル７１０、及び献金内容確認受付部７１１の各構成要素を有している。
【００５７】
被献金政治家受付部７０１による被献金政治家受付処理（Ｓ６０１）では、指定された政治家の個別政治家画面を個別政治家画面記憶部７０２から読み出して、資金提供者端末１０２に送信する。そして、資金提供者端末１０２から返信される献金手続開始の指示を受信する。そして、献金対象となった政治家のＩＤを特定する。例えば、献金手続開始の指示に政治家ＩＤを付加して返信するように、個別政治家画面のＨＴＭＬ文書において設定しておくことにより、献金手続開始の指示から政治家ＩＤを特定する。
【００５８】
規約等確認受付部７０３による規約等確認受付処理（Ｓ６０２）では、規約等確認画面記憶部７０４から規約等確認画面を読み出して、資金提供者端末１０２に送信する。そして、資金提供者端末１０２から返信される規約等確認を受信する。規約等確認を受信した場合に限り、以下の処理を継続させる。つまり、規約等確認を受信できない場合には、献金申込を中断させる。
【００５９】
決済方法受付部７０５による決済方法受付処理（Ｓ６０３）では、決済方法選択画面記憶部７０６から決済方法選択画面を読み出して、資金提供者端末１０２に送信する。そして、資金提供者端末１０２から返信されるクレジットカードの種別を受信する。決済方法選択画面は、ブラウザ上で選択されたクレジットカードの種別を返信するように構成されている。
【００６０】
献金額・献金者情報受付部７０７による献金額・献金者情報受付処理（Ｓ６０４）では、献金額・献金者情報入力画面記憶部７０８から献金額・献金者情報入力画面を読み出して、資金提供者端末１０２に送信する。そして、資金提供者端末１０２から返信される献金額・献金者情報を受信する。献金額・献金者情報入力画面は、ブラウザ上の操作により入力した献金額・献金者情報を返信するように構成されている。献金者情報には、少なくとも氏名（漢字）、献金者住所が含まれる。更に氏名（カタカナ）、自宅電話番号、連絡先電話番号、メールアドレス、生年月日、職業などが含まれることが望ましい。また、併せて政治家へのメッセージを受け付けることも有効である。
【００６１】
献金内容確認画面生成部７０９による献金額・献金者情報確認画面生成処理（Ｓ６０５）では、被献金政治家受付部７０１で特定した政治家ＩＤ、決済方法受付部７０５で受け付けたカード種別、献金額・献金者情報受付部７０７で受け付けた献金額・献金者情報に基づいて、献金額・献金者情報確認画面を生成する。政治家テーブル７１０から政治家ＩＤに対応する政治家名、資金管理団体名を取得し、政治家名、資金管理団体名、クレジットカード、献金額、献金者情報を表示するように当該画面を設定する。これにより、入力ミスの防止を図る。政治家テーブル７１０は、登録されている政治家毎に、政治家ＩＤ、政治家名、及び資金管理団体名を対応付けて記憶している。
【００６２】
献金内容確認受付部７１１による献金額・献金者情報確認受付処理（Ｓ６０６）では、資金提供者端末１０２から献金内容確認画面に対する操作で返信される献金内容確認を受信する。献金内容確認を受信した場合に限り、以下の処理を継続させる。つまり、献金内容確認を受信できない場合には、献金申込を中断させる。
【００６３】
図８は、資金移転管理サーバの献金申込に係る構成（２／２）を示す図である。資金移転管理サーバ１０１は、更にクレジットカード情報受付部８０１、クレジットカード情報入力画面記憶部８０２、決済内容確認画面生成部８０３、及び決済内容確認受付部８０４の構成要素を有している。
【００６４】
クレジットカード情報受付部８０１によるクレジットカード情報受付処理（Ｓ６０７）では、クレジットカード情報入力画面記憶部８０２からクレジットカード情報入力画面を読み出して、資金提供者端末１０２に送信する。そして、資金提供者端末１０２から返信されるクレジットカード情報を受信する。クレジットカード情報入力画面は、ブラウザ上の操作により入力したクレジットカード情報を返信するように構成されている。クレジットカード情報には、少なくともカード番号と有効期限が含まれる。更に、ＣＶＶ２／ＣＶＣ２（セキュリティコード）、名前、住所等を含むことも有効である。
【００６５】
決済内容確認画面生成部８０３による決済内容確認画面生成処理（Ｓ６０８）では、決済方法受付部７０５で受け付けたカード種別と、クレジットカード情報受付部８０１で受け付けたクレジットカード情報に基づいて、決済内容確認画面を生成する。カード種別とクレジットカード情報を表示するように当該画面を設定する。これにより、入力ミスの防止を図る。
【００６６】
決済内容確認受付部８０４による決済内容確認受付処理（Ｓ６０９）では、資金提供者端末１０２から決済内容確認画面に対する操作で返信される決済内容確認を受信する。決済内容確認を受信した場合に限り、以下の処理を継続させる。つまり、決済内容確認を受信できない場合には、献金申込を中断させる。
【００６７】
［３−２．決済の依頼等］
図９は、資金移転管理サーバの決済依頼に係る構成を示す図である。資金移転管理サーバ１０１は、更に、献金申込登録部９０２、献金申込テーブル９０３、及び申込結果通知部９０４を有している。
【００６８】
決済要求部９０１による決済要求処理（Ｓ６１０）では、決済方法受付部７０５で受け付けたカード種別、献金額・献金者情報受付部７０７で受け付けた献金額・献金者情報、クレジットカード情報受付部８０１で受け付けたクレジットカード情報に基づいて、決済依頼を決済処理サーバ１０３に送信する。送信先となる決済処理サーバ１０３は、カード種別により特定される。送信される決済依頼には、決済額、クレジットカード情報、及び本人属性データが含まれる。決済額には、献金額が設定される。本人属性データには、献金者情報が用いられる。氏名（漢字）、氏名（カタカナ）、献金者住所、自宅電話番号、連絡先電話番号、メール、アドレス、生年月日、職業のうち、一又は複数の組合せを本人属性データに用いる。特にカードに記載されていない情報が有効である。そして、決算依頼の結果が決済処理サーバ１０３より返信され、これを受信する。依頼結果が受付成功３０２の場合には、決済ＩＤも受信する。依頼結果が受付失敗４０１の場合には、失敗事由（利用カード無効、与信不足、本人不確認）も受信する。決済処理サーバ１０３は、本人属性データが、クレジットカード情報で特定されるカード所有者の属性データと一部でも相違する場合に、本人不確認と判定する。属性データが完全に一致する場合に限り、本人確認済として正常に扱う。
【００６９】
依頼結果が受付成功３０２であれば（Ｓ６１１）、献金申込登録部９０２による献金申込登録処理（Ｓ６１２）で、献金申込情報を献金申込テーブル９０３に記憶させる。前述の通り受付成功３０２は本人確認済を意味しており、明示的に本人確認済の判定コードを含むこともある。
【００７０】
図１０は、献金申込情報の例を示す図である。取消フラグの初期値としてＯＦＦを設定する。後に献金申込が取り消されるときには、ＯＮとする。献金申込ＩＤは、献金申込毎に固有なＩＤが割り当てられる。献金申込日付には、当該献金申込処理当日の日付が設定される。被献金政治家受付部７０１で特定された政治家ＩＤ、献金額・献金者情報受付部７０７で受け付けた献金額（円）も設定される。更に、献金者情報として献金額・献金者情報受付部７０７で受け付けた氏名（漢字）、氏名（カタカナ）、献金者住所、自宅電話番号、連絡先電話番号、メールアドレス、生年月日、職業、政治家へのメッセージが設定される。また、決済情報として、カード種別、決済要求部９０１で受信した決済ＩＤ、入金フラグ（初期値は未入金）が設定される。図示しない入金フラグ更新部により、当該決済についてクレジット会社から支払がなされたことを確認した場合には、入金フラグを入金済に変更する処理を行なう。
【００７１】
そして、申込結果通知部９０４による手続完了応答処理（Ｓ６１３）で、申込結果として手続完了を資金提供者端末１０２に送信する。
【００７２】
一方、依頼結果受付失敗４０１の場合には（Ｓ６１１）、申込結果通知部９０４による手続未完応答処理（Ｓ６１４）で、申込結果として決済依頼の失敗事由（利用カード無効、与信不足、本人不確認）を含む手続未完の通知を資金提供者端末１０２に送信する。
【００７３】
［３−３．献金予定明細の通知］
続いて、献金予定明細通知処理について説明する。この処理は、月次処理など所定のタイミング（献金予定通知時点）に起動される。図１１は、献金予定明細通知処理フローを示す図である。図１２は、資金移転管理サーバの献金予定明細通知に係る構成を示す図である。資金移転管理サーバ１０１は、前述の個別政治家画面２０１、政治家テーブル７１０、献金申込テーブル９０３の他、献金予定明細通知部１２０１、政治家専用画面記憶部１２０２、及び献金予定明細通知部１２０１を有している。
【００７４】
献金予定明細通知部１２０１は、政治家テーブル７１０に登録されている政治家ＩＤを抽出する（Ｓ１１０１）。献金申込テーブル９０３から献金申込日時が所定期間内（献金予定集計期間）に含まれる献金申込情報を抽出する（Ｓ１１０２）。献金申込情報に含まれる政治家ＩＤが当該政治家ＩＤと一致する場合には（Ｓ１１０３）、献金申込情報に含まれる献金申込ＩＤ、献金額、献金者情報、及び献金申込日時を当該政治家向け献金予定明細に加える（Ｓ１１０４）。そして、すべての献金申込情報について処理した時点で（Ｓ１１０５）、当該政治家向け献金予定明細を電子メールで資金受領者端末１０４へ送信する（Ｓ１１０６）。資金受領者端末１０４のアドレスは、政治家テーブル７１０から取得する。政治家テーブル７１０は、政治家ＩＤに対応付けて資金受領者端末アドレスを記憶している。電子メールによらず、資金受領者端末１０４のみが閲覧可能な当該政治家向け献金予定明細画面を生成することも有効である。献金予定明細画面は、政治家専用画面記憶部１２０２に記憶される。そして、政治家専用画面記憶部１２０２は、資金受領者端末１０４が適正にログイン認証を受けた場合に当該画面を送信するように構成されている。これらの処理を順次すべての政治家について処理し、終了する（Ｓ１１０７）。
【００７５】
［３−４．受入辞退の受付］
続いて、献金受入の辞退に係る処理について説明する。図１３は、資金移転管理サーバの献金辞退に係る構成を示す図である。資金移転管理サーバ１０１は、前述の政治家テーブル７１０と献金申込テーブル９０３の他、献金辞退受付部１３０１、献金申込取消部１３０２、手続取消通知部１３０３、及び決済取消部１３０４を有している。
【００７６】
献金辞退受付部１３０１による献金辞退受付処理で、献金予定明細３０４の通知から所定の辞退申請期間内であれば、資金受領者端末１０４からの献金辞退を受け付ける。献金辞退には、政治家ＩＤと献金申込ＩＤの情報が含まれている。
【００７７】
続いて、献金申込取消部１３０２による献金申込取消処理で、献金申込テーブル９０３の献金申込情報を取り消す。政治家ＩＤと献金申込ＩＤが一致する献金申込情報を特定する。そして、当該献金申込情報に含まれる取消フラグをＯＮにする。仮に、政治家ＩＤと献金申込ＩＤが一致する献金申込情報がない場合には、エラーとして献金申込取消処理を中断する。
【００７８】
続いて、手続取消通知部１３０３による手続取消通知処理で、資金提供者端末１０２に献金申込の取消を通知する。まず、献金申込ＩＤに対応する政治家ＩＤと献金額と献金者のメールアドレスを献金申込テーブル９０３から取得し、政治家ＩＤに対応する政治家名と資金管理団体名を政治家テーブル７１０から取得する。そして、政治家名と資金管理団体名と献金額により献金申込の内容を示し、当該献金申込を取り消す旨の手続取消メールを生成し、献金者のメールアドレス宛に送信する。
【００７９】
最後に、決済取消部１３０４による決済取消処理で、決済処理サーバ１０３に対して依頼した決済を取り消す。献金申込ＩＤに対応するカード種別と決済ＩＤを献金申込テーブル９０３から取得し、カード種別により特定される決済処理サーバ１０３に対して決済ＩＤを含む決済取消の要求を送信する。このとき、決済処理サーバ１０３では確保されている与信枠を開放する処理が行われる。
【００８０】
［３−５．献金明細の通知］
次に、献金明細通知処理について説明する。この処理は、月次処理など所定のタイミング（献金通知時点）に起動される。図１４は、献金明細通知処理フローを示す図である。
政治家ＩＤを抽出する（Ｓ１４０１）。献金申込テーブル９０３から献金申込日時が所定期間内（献金集計期間）に含まれる献金申込情報を抽出する（Ｓ１４０２）。献金申込情報に含まれる政治家ＩＤが当該政治家の政治家ＩＤと一致する場合には（Ｓ１４０３）、決済の入金済みであるか判定する（Ｓ１４０４）。献金申込情報に含まれる入金フラグが入金済であれば、献金申込ＩＤ、献金額、献金者情報、献金申込日時を当該政治家向け献金明細に加える（Ｓ１４０５）。すべての献金申込情報について処理すると（Ｓ１４０６）、当該政治家向け献金明細を送信する。あるいは当該政治家向け献金明細画面を生成する（Ｓ１４０７）。献金明細画面は、政治家専用画面記憶部１２０２に記憶される。そして、政治家専用画面記憶部１２０２は、資金受領者端末１０４が適正にログイン認証を受けた場合に当該画面を送信するように構成されている。同様に、順次すべての政治家について処理する（Ｓ１４０８）。
【００８１】
＜実施の形態２＞
前述の形態では、献金申込の際にクレジットカード情報を入力する形態について説明したが、本実施の形態では、献金申込においてログインすることにより予め登録してあるクレジットカード情報を用いる例を説明する。
【００８２】
図１５は、実施の形態２に係る献金申込のデータフローを示す図である。資金移転管理サーバ１０１は、図２で示したクレジットカード情報入力画面２１１に代えてログイン情報入力画面１５０１を資金提供者端末１０２に送信する。ログイン情報入力画面１５０１は、ログイン情報の入力を促し、入力されたログイン情報を送信する画面である。
【００８３】
資金提供者端末１０２のブラウザに表示された画面上で、ログイン情報の送信を指示する手段を操作することにより、ログイン情報１５０２が資金移転管理サーバ１０１に返信される。
【００８４】
図１６は、資金移転管理サーバのログインに係る構成を示す図である。資金移転管理サーバ１０１は、クレジットカード情報受付部８０１とクレジットカード情報入力画面記憶部８０２に代えて、ログイン受付部１６０１、ユーザテーブル１６０２、及びクレジットカード情報特定部１６０３を有している。献金者は、予め行なったユーザ登録によりユーザＩＤとパスワードを割り当てられており、更に予めクレジットカード情報を登録している。ユーザテーブル１６０２は、ユーザＩＤに対応付けてパスワードとクレジットカード情報を記憶している。
【００８５】
クレジットカード情報受付部８０１によるクレジットカード情報受付処理（Ｓ６０７）に代えて、ログイン受付部１６０１によるログイン受付処理で、ログイン情報入力画面を資金提供者端末１０２に送信し、返信されるログイン情報を受信する。ログイン情報は、ユーザＩＤとパスワードからなる。ユーザテーブル１６０２に、このユーザＩＤとパスワードと同じ組合せが登録されていない場合に、認証失敗と判断し、処理を中断する。同じ組合せが登録されている場合には、認証成功と判断し、処理を続行する。そして、クレジットカード情報特定部１６０３によるクレジットカード情報特定処理により、ユーザＩＤに対応するクレジットカード情報をユーザテーブル１６０２から取得する。
【００８６】
＜実施の形態３＞
上述の実施の形態１及び実施の形態２では、クレジットカードによる決済の例を示したが、銀行、信用金庫などの他の金融機関に設けた預貯金口座を利用することも可能である。
【００８７】
その場合には、カード種別に代えて、金融機関種別を用い、クレジットカード情報に代えて預貯金口座情報を用いる。預貯金口座情報には、当該金融機関の金融機関名、支店名、口座種別（普通・当座・貯蓄）、口座番号、口座名義を用いる。
【００８８】
金融機関は、預貯金口座情報により特定される口座開設者の属性データが、本人属性データと一致する場合に限り、献金代行業者への振替あるいは振込の処理を行なう。他の通知等の処理は、前述の例と同様である。なお、この形態においては、献金者から金融機関へ、献金代行業者に対する振替あるいは振込の承認を行うことが必要となる。あるいは、事前の承認を行っておくことが必要となる。
【００８９】
上述の例では、献金額・献金者情報受付部７０７で献金額と献金者情報を同時に受け付けるように動作したが、献金額と献金者情報を別々に受け付けるように構成してもよい。その場合には、献金額入力画面を資金提供者端末１０２に送信し、資金提供者端末１０２から献金額を受信する献金額受付部と、献金者情報入力画面を資金提供者端末１０２に送信し、資金提供者端末１０２から献金者情報を受信する献金者情報受付部を設ける。そして、献金額受付部による献金額受付処理と、献金者情報受付部による献金者情報受付処理を分けて実行する。
【００９０】
決済機関を利用して、献金代行に伴う献金支払代行費用を徴収するように工夫することも考えられる。
【００９１】
資金移転管理サーバ１０１は、コンピュータであり、各要素はプログラムにより処理を実行することができる。また、プログラムを記憶媒体に記憶させ、記憶媒体からコンピュータに読み取られるようにすることができる。
【符号の説明】
【００９２】
１０１    資金移転管理サーバ
１０２    資金提供者端末
１０３    資金受領者端末
１０４    決済処理サーバ
２０１    個別政治家画面
２０２    献金手続開始
２０３    規約等確認画面
２０４    規約等確認
２０５    決済方法選択画面
２０６    カード種別選択
２０７    献金額・献金者情報入力画面
２０８    献金額・献金者情報
２０９    献金内容確認画面
２１０    献金内容確認
２１１    クレジットカード情報入力画面
２１２    クレジットカード情報
２１３    決済内容確認画面
２１４    決済内容確認
３０１    決済依頼
３０２    受付成功
３０３    手続完了
３０４    献金予定明細
３０５    献金明細
４０１    受付失敗
４０２    手続未完
５０１    献金辞退
５０２    手続取消
５０３    決済取消
７０１    被献金政治家受付部
７０２    個別政治家画面記憶部
７０３    規約等確認受付部
７０４    規約等確認画面記憶部
７０５    決済方法受付部
７０６    決済方法選択画面記憶部
７０７    献金額・献金者情報受付部
７０８    献金額・献金者情報入力画面記憶部
７０９    献金内容確認画面生成部
７１０    政治家テーブル
７１１    献金内容確認受付部
８０１    クレジットカード情報受付部
８０２    クレジットカード情報入力画面記憶部
８０３    決済内容確認画面生成部
８０４    決済内容確認受付部
９０１    決済要求部
９０２    献金申込登録部
９０３    献金申込テーブル
９０４    申込結果通知部
１２０１    献金予定明細通知部
１２０２    政治家専用画面記憶部
１３０１    献金辞退受付部
１３０２    献金申込取消部
１３０３    手続取消通知部
１３０４    決済取消部
１５０１    ログイン情報入力画面
１５０２    ログイン情報
１６０１    ログイン受付部
１６０２    ユーザテーブル
１６０３    クレジットカード情報特定部
【図１】
2011215762.tif 000003
【図２】
2011215762.tif 000004
【図３】
2011215762.tif 000005
【図４】
2011215762.tif 000006
【図５】
2011215762.tif 000007
【図６】
2011215762.tif 000008
【図７】
2011215762.tif 000009
【図８】
2011215762.tif 000010
【図９】
2011215762.tif 000011
【図１０】
2011215762.tif 000012
【図１１】
2011215762.tif 000013
【図１２】
2011215762.tif 000014
【図１３】
2011215762.tif 000015
【図１４】
2011215762.tif 000016
【図１５】
2011215762.tif 000017
【図１６】
2011215762.tif 000018